(57)【要約】      （修正有）【課題】採血者が楽な姿勢で容易に真空採血管を操作してサンプリング用血液を採取することができる採血器具を提供する。【解決手段】少なくとも血液を採取する親バッグ４と、サンプリングバッグＢを有し、前記親バッグ４の上流に採血チューブＴ１を接続し、当該採血チューブＴ１の上端に採血針８を接続し、前記採血チューブＴ１の途中に分岐管１３ａを配置し、当該分岐管１３ａに、初流血液導入チューブを接続し、当該初流血液導入チューブの下端に、前記サンプリングバッグＢを接続し、前記初流血液導入チューブの途中に分岐管１３を配置し、当該分岐管１３に血液採取手段２２を接続した採血器具１。【選択図】図１
2009089919.tif 000002
【特許請求の範囲】
【請求項１】
少なくとも血液を採取する親バッグ（４）と、サンプリングバッグ（Ｂ、Ｂａ、Ｂｂ）を有し、
前記親バッグ（４）の上流に採血チューブ（Ｔ１）を接続し、当該採血チューブ（Ｔ１）の上端に採血針（８）を接続し、
前記採血チューブ（Ｔ１）の途中に分岐管（１３ａ）を配置し、当該分岐管（１３ａ）に、初流血液導入チューブ（Ｔ２）を接続し、当該初流血液導入チューブ（Ｔ２）の下端に、前記サンプリングバッグ（Ｂ、Ｂａ、Ｂｂ）を接続し、
前記初流血液導入チューブ（Ｔ２）の途中に分岐管（１３）を配置し、当該分岐管（１３）に血液採取手段（２２）を接続したことを特徴とする採血器具（１）。
【請求項２】
前記サンプリングバッグ（Ｂ）は、バッグ本体（２１）の上部に初流血液の出入口（２３）を形成し、
前記バッグ本体（２１）内部に、仕切部（Ｐ１）形成し、
当該仕切部（Ｐ１）は、前記血液出入口（２３）から下部に向けて、少なくとも略縦方向に形成し、
当該仕切部（Ｐ１）は、バッグ本体（２１）内部を血液溜（Ｓ１）と血液通路（Ｗ１）に区画し、
前記仕切部（Ｐ１）の下部に開放部（Ｏ１）を形成し、
前記血液通路（Ｗ１）は、前記初流血液の出入口（２３）を経て初流血液導入チューブ（Ｔ２）と連通するとともに、前記開放部（Ｏ１）を経て前記血液溜（Ｓ１）と連通していること特徴とする請求項１に記載の採血器具（１）。
【請求項３】
前記サンプリングバッグ（Ｂａ）は、バッグ本体（２１）の上部に初流血液の出入口（２３）を形成し、
前記バッグ本体（２１）内部に、第１仕切部（Ｐ１）と第２仕切部（Ｐ２）と第３仕切部（Ｐ３）を形成し、
前記第１仕切部（Ｐ１）は、バッグ本体（２１）の略横方向または略斜め方向に形成し、
前記第２仕切部（Ｐ２）は、バッグ本体（２１）の略縦方向に形成し、
前記第３仕切部（Ｐ３）は、少なくとも略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記バッグ本体（２１）内部を、血液溜（Ｓ１）と空気溜（Ｓ２）に区画し、
前記第２仕切部（Ｐ２）と前記バッグ本体（２１）側部間に、上開放部（Ｏ１）、下開放部（Ｏ２）及び空気通路（Ｗ２）を形成し、
前記第３仕切部（Ｐ３）と前記バッグ本体（２１）側部間に下開放部（Ｏ２´）及び血液通路（Ｗ１）を形成し、
前記空気通路（Ｗ２）は、前記上開放部（Ｏ１）と下開放部（Ｏ２）を経て、前記血液溜（Ｓ１）と前記空気溜（Ｓ２）と連通し、
前記血液通路（Ｗ１）は、前記初流血液の出入口（２３）を経て初流血液導入チューブ（Ｔ２）と連通するとともに、前記下部開放部（Ｏ２´）を経て、前記血液溜（Ｓ１）と連通していること特徴とする請求項１に記載の採血器具（１）。
【請求項４】
前記サンプリングバッグ（Ｂｂ）は、バッグ本体（２１）の上部に初流血液の出入口（２３）を形成し、
前記バッグ本体（２１）内部の略中央に、一対の仕切部（Ｐ１）を形成し、
当該一対の仕切部（Ｐ１）は、前記出入口（２３）から下方に延設し、当該一対の仕切部（Ｐ１）の下部に開放部（Ｏ１）を形成し、
当該一対の仕切部（Ｐ１）により、バッグ本体（２１）内部を血液通路（Ｗ１）と当該血液通路（Ｗ１）の両側の血液溜（Ｓ１）とに区画し、
前記血液通路（Ｗ１）は、前記初流血液の出入口（２３）を経て初流血液導入チューブ（Ｔ２）と連通するとともに、前記開放部（Ｏ１）を経て前記両側の血液溜（Ｓ１）と連通していること特徴とする請求項１に記載の採血器具（１）。
【発明の詳細な説明】
【技術分野】
【０００１】
本発明は、初流血液を採取するとともに、検査用血液の採取を容易に行うことのできる採血器具に関する。
【背景技術】
【０００２】
採血針から採取した血液を血液バッグに導入する際、供血者の穿刺位置をアルコール等で消毒を行うが、消毒を行なっても、皮膚や皮下に存在する細菌が採取した血液の中に混入することがある。
混入した細菌は、細菌の種類によっては、血液バッグを保存している間にも増殖し、細菌の増殖に気づくことなく輸血などに用いられると、輸血された患者に感染症などを引き起こし、重篤な事態となるおそれもある。
そこで、採取された血液の細菌汚染防止を図ることができるように、特に採血時の初流の血液を除去するシステムが発明されるようになった。
【０００３】
特許文献１の図１、図４、特許文献２の図１、図２等に記載のように、初流血の採血は、サンプリングバッグ（容器）に初流血を貯め、サンプリングバッグの下部に付属したサンプリングホルダに真空採血管を挿入し、真空採血管内に初流血を導いている。
また採血時、サンプリングバッグは、通常採血者の採血部位より下方に位置し、落差にてバッグ内に初流血を貯めるようにしている。
しかしながら、バッグ内に貯まった初流血は、真空採血管によって、バッグ下部に接続されたサンプリングホルダから採られるが、サンプリングホルダがバッグの下部にあるため、採血者は腰をかがめたりしゃがんだりといった低い姿勢で真空採血管を操作しなければならなかった。
【０００４】
また特許文献２は図２Ｄ、［００３８］に記載のように、サンプリング容器４２の口部に特許文献３のＹコネクタを使用して、サンプリングホルダ６８を装着し、当該サンプリングホルダ６８に真空採血管を装着するようにしている。
特許文献２には落差による採血についての記載がないが、通常、サンプリング容器（サンプリングバッグ）は上腕より２０〜３０ｃｍほど下で採血するようになるため、サンプリングホルダは、サンプリング容器より２０〜３０ｃｍ上に位置する方が操作がしやすい。しかし、特許文献２ではサンプリング容器４２にＹ字管（Ｙコネクタ）を介してサンプリングホルダ６８を接続しているため、サンプリングホルダ６８がサンプリング容器４２に接近して配置されるため、やはり従来のように落差を利用すると、サンプリングホルダ６８の位置が低くなり、作業者は屈んだりしゃがんだりしなければならず、真空採血管の操作性が悪くなる。
さらに配管セグメント６２（血液導入チューブ）を容器４２内部に伸長することになっているため、チューブ下端が容器４２の底部からずれたり、潰れ、曲がりといったチューブの変形が起こったりする可能性がある。
【特許文献１】特開２００１−１７５３９（図１、図４）
【特許文献２】特表２００３−５０５１８５（図１、図２、図２Ｄ）
【特許文献３】特許３３２６５０１（図５〜図１１）
【発明の開示】
【発明が解決しようとする課題】
【０００５】
本発明が解決しようとする課題は、
（１）採血初流除去バッグに貯留した血液を真空採血管ホルダ等の外部への血液採取手段から真空採血管に採取する際、真空採血管内にどうしても空気を取り込んでしまう点、
（２）また空気を取り込まないようにするためには、血液バッグの構成上、採血時には採血初流除去システムが低位置にあることから、作業者が屈みこんだりしゃがんだりといった無理な体勢から血液をサンプリングしなければならない点である。
【課題を解決するための手段】
【０００６】
［１］本発明は、少なくとも血液を採取する親バッグ（４）と、サンプリングバッグ（Ｂ、Ｂａ、Ｂｂ）を有し、
前記親バッグ（４）の上流に採血チューブ（Ｔ１）を接続し、当該採血チューブ（Ｔ１）の上端に採血針（８）を接続し、
前記採血チューブ（Ｔ１）の途中に分岐管（１３ａ）を配置し、当該分岐管（１３ａ）に、初流血液導入チューブ（Ｔ２）を接続し、当該初流血液導入チューブ（Ｔ２）の下端に、前記サンプリングバッグ（Ｂ、Ｂａ、Ｂｂ）を接続し、
前記初流血液導入チューブ（Ｔ２）の途中に分岐管（１３）を配置し、当該分岐管（１３）に血液採取手段（２２）を接続した採血器具（１）を提供する。
［２］本発明は、前記サンプリングバッグ（Ｂ）は、バッグ本体（２１）の上部に初流血液の出入口（２３）を形成し、
前記バッグ本体（２１）内部に、仕切部（Ｐ１）形成し、
当該仕切部（Ｐ１）は、前記血液出入口（２３）から下部に向けて、少なくとも略縦方向に形成し、
当該仕切部（Ｐ１）は、バッグ本体（２１）内部を血液溜（Ｓ１）と血液通路（Ｗ１）に区画し、
前記仕切部（Ｐ１）の下部に開放部（Ｏ１）を形成し、
前記血液通路（Ｗ１）は、前記初流血液の出入口（２３）を経て初流血液導入チューブ（Ｔ２）と連通するとともに、前記開放部（Ｏ１）を経て前記血液溜（Ｓ１）と連通している［１］に記載の採血器具（１）を提供する。
［３］本発明は、前記サンプリングバッグ（Ｂａ）は、バッグ本体（２１）の上部に初流血液の出入口（２３）を形成し、
前記バッグ本体（２１）内部に、第１仕切部（Ｐ１）と第２仕切部（Ｐ２）と第３仕切部（Ｐ３）を形成し、
前記第１仕切部（Ｐ１）は、バッグ本体（２１）の略横方向または略斜め方向に形成し、
前記第２仕切部（Ｐ２）は、バッグ本体（２１）の略縦方向に形成し、
前記第３仕切部（Ｐ３）は、少なくとも略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記バッグ本体（２１）内部を、血液溜（Ｓ１）と空気溜（Ｓ２）に区画し、
前記第２仕切部（Ｐ２）と前記バッグ本体（２１）側部間に、上開放部（Ｏ１）、下開放部（Ｏ２）及び空気通路（Ｗ２）を形成し、
前記第３仕切部（Ｐ３）と前記バッグ本体（２１）側部間に下開放部（Ｏ２´）及び血液通路（Ｗ１）を形成し、
前記空気通路（Ｗ２）は、前記上開放部（Ｏ１）と下開放部（Ｏ２）を経て、前記血液溜（Ｓ１）と前記空気溜（Ｓ２）と連通し、
前記血液通路（Ｗ１）は、前記初流血液の出入口（２３）を経て初流血液導入チューブ（Ｔ２）と連通するとともに、前記下部開放部（Ｏ２´）を経て、前記血液溜（Ｓ１）と連通している［１］に記載の採血器具（１）を提供する。
［４］本発明は、前記サンプリングバッグ（Ｂｂ）は、バッグ本体（２１）の上部に初流血液の出入口（２３）を形成し、
前記バッグ本体（２１）内部の略中央に、一対の仕切部（Ｐ１）を形成し、
当該一対の仕切部（Ｐ１）は、前記出入口（２３）から下方に延設し、当該一対の仕切部（Ｐ１）の下部に開放部（Ｏ１）を形成し、
当該一対の仕切部（Ｐ１）により、バッグ本体（２１）内部を血液通路（Ｗ１）と当該血液通路（Ｗ１）の両側の血液溜（Ｓ１）とに区画し、
前記血液通路（Ｗ１）は、前記初流血液の出入口（２３）を経て初流血液導入チューブ（Ｔ２）と連通するとともに、前記開放部（Ｏ１）を経て前記両側の血液溜（Ｓ１）と連通している［１］に記載の採血器具（１）を提供する。
【発明の効果】
【０００７】
本発明の採血器具１は、
（１）血液採取手段（サンプリングホルダ）２２は、供血者の穿刺部位（上腕）とほぼ同じ位置に置くことができるため、採血者は腰をかがめたりしゃがんだりすることなく、楽な姿勢で容易に真空採血管を操作してサンプリング用血液を採取することができる。
（２）サンプリングバッグＢ、Ｂａ、Ｂｂのバッグ本体２１の仕切部Ｐ、Ｐ３、Ｐ１の開放部Ｏ１（血液溜Ｓ１への血液の流入口）をバッグ本体２１内の下部に位置させることにより、血液は血液溜Ｓ１の下部に貯まり、不要な空気は血液溜Ｓ１の上部（空気溜Ｓ２）に貯まるので、血液採取手段２２から真空採血管に採取する際、真空採血管内に空気が混入しない。
（３）バッグ本体２１内に血液が貯まった後、サンプリングホルダ２２に真空採血管を挿入するだけで血液はバッグ本体２１内の血液流路Ｗ１を逆流するので、容易に真空採血管に血液のみを導くことができる。
【発明を実施するための最良の形態】
【０００８】
図１は本発明の採血器具１の概略図、図２は本発明に使用するサンプリングバッグＢの概略図、図３は、図２の一部拡大図、図４は同サンプリングバッグＢの採血時の概略図、図５は同サンプリングバッグＢのサンプリング時の概略図、図６は本発明に使用するその他のサンプリングバッグＢａの概略図、図７は本発明に使用するその他のサンプリングバッグＢｂの概略図である。
［採血器具１］
本発明の採血器具１は、少なくとも血液を採取する親バッグ４と、サンプリングバッグＢ、Ｂａ、Ｂｂを有する。親バッグ４の上流に採血チューブＴ１を接続し、採血チューブＴ１の上端に採血針８を接続し、採血チューブＴ１の途中に分岐管１３ａを配置し、この分岐管１３ａに、初流血液導入チューブＴ２を接続し、初流血液導入チューブＴ２の下端に、サンプリングバッグＢ、Ｂａ、Ｂｂを接続している。
分岐管１３ａと分岐管１３の間の初流血液導入チューブＴ２の途中にクランプ１１ａを装着している。
親バッグ４と分岐管１３ａの採血チューブＴ１の途中に流路閉塞手段１２を装着している。
流路閉塞手段１２は、図２に例示するように採血チューブＴ１の内側に配置される連通ピース１２（一部を破断して液体流路を開通するもの）でもよいし、図１に例示するように各チューブＴ２、Ｔ３の外側に装着し、その開閉により液体流路を開通・閉塞できるクランプ１１ａ、１１ｂでもよい。
さらに親バッグ４の下流には、連結チューブＴ３を介して血液フィルタ３及び第１子バッグ５を接続している。さらに第１子バッグ５は、連結チューブＴ４、分岐管１３ｂ、連結チューブＴ５、Ｔ６を介して、それぞれ第２子バッグ６、赤血球保存液入バッグ７を接続している。
親バッグ４及び赤血球保存液入りバッグ７には、採血時または輸血保存時における血液の凝固の防止または保存のために、例えばＡＣＤ液、ＣＰＤ液、ＭＡＰ液のような抗凝固剤または赤血球保存液を収納している。
【０００９】
［サンプリングバッグＢ］
サンプリングバッグＢは、採血時等に、供血者の初流血液をサンプリングバッグＢに採取することで、針穿刺部の皮膚や皮下に存在する細菌等の混入を防止するとともに、サンプリングバッグＢ内に採取した初流血液を検査用の血液としても用いるためのものである。
サンプリングバッグＢは、バッグ本体２１の上部に初流血液の出入口２３を形成し、前記バッグ本体２１内部に、仕切部Ｐ１を形成している。
仕切部Ｐ１は、前記血液出入口２３から下部に向けて、少なくとも略縦方向に形成している。
当該仕切部Ｐ１は、バッグ本体２１内部を血液溜Ｓ１と血液通路Ｗ１に区画し、仕切部Ｐ１の下部に開放部Ｏ１を形成している。
血液通路Ｗ１は、前記初流血液の出入口２３を経て初流血液導入チューブＴ２と連通するとともに、前記開放部Ｏ１を経て前記血液溜Ｓ１と連通している。
さらに詳述すれば、仕切部Ｐ１は、バッグ上側周縁部Ｒに沿って、略横方向または略斜め方向から略縦方向に形成している。仕切部Ｐ１は、例えば熱溶着等の手段により形成される（後述する仕切部Ｐ１、Ｐ２、Ｐ３も同じ）。なお、「周縁部Ｒ」とは、バッグ本体２１の周縁のシールしている部分を意味する。
【００１０】
血液通路Ｗ１の幅は、おおむね２〜１０ｍｍ程度に設定して形成するのが好ましい。この血液通路Ｗ１の幅が狭すぎると、血液を採取する際に、血液溜Ｓ１へと血液がスムーズに導入できない可能性があり、逆に血液通路Ｗ１があまりに広すぎると、血液が確実に血液溜Ｓ１の上部に空気を押し上げられないなどといったおそれがあるため、好ましくない。
さらに、開放部Ｏ１（非溶着部分）についても、血液通路Ｗ１の幅の設定と同様の理由により、２〜１０ｍｍ程度に設定するのが好ましい。
なお、後述するサンプリングバッグＢａ、Ｂｂの血液通路Ｗ１、開放部Ｏ１、Ｏ２、Ｏ２´も、これらサンプリングバッグＢの血液通路Ｗ１及び開放部Ｏ１と同様である。
【００１１】
［血液採取手段２２］
サンプリングバッグＢ内に採取した血液を、検査等のために外部容器へ採取する手段（血液採取手段２２）として、例えば図２では初流血液導入チューブＴ２の途中に、分岐管１３を介してサンプリングホルダ２２を装着している。または図示しないがコネクタ付きチューブ（チューブ先端にコネクタを接続したもの）を装着しても良い。要するに、血液採取手段２２は、外部容器に血液を採取することが可能であれば、何でも採用することができる。
血液採取手段２２の具体的な手段として、図２に例示するようなサンプリングホルダ２２を採用する場合、初流血液導入チューブＴ２の途中に配置した分岐管１３に、初流血液の採取針２５を装着し、採取針２５の外周にサンプリングホルダ２２を装着する。
なお、初流血液導入チューブＴ２の途中に配置した分岐管１３の側端部ｓと採取針２５の基部ｂの間の距離Ｌは、できるだけ小さくなるように（例えば４５ｍｍ以下に）接近させて配置したほうが良い。好ましくは、１５ｍｍ以下が良い。
これらの距離Ｌがあまり大きくなると（４５ｍｍを超えると）、採取針２５と（分岐管１３とサンプリングバッグＢ間の）初流血採血導入チューブＴ２の間にエアが溜まりやすく、例えば真空採血管で採血する時、エアを吸い込みやすくなり規定量の血液が採取できない場合があるので好ましくない。
なお、採取針２５はシース２６で覆うのが好ましい。
【００１２】
サンプリングバッグＢ及び採血器具２のバッグ類を構成する材料として、例えばポリ塩化ビニル、ポリオレフィン等の可撓性合成樹脂が用いられる。
【００１３】
［採血器具１の使用例］
次に本発明の採血器具１［サンプリングバッグＢと血液採取手段（サンプリングホルダ）２２を採用した場合］の使用方法の一例について説明する。
（１：初流血液採取時）
供血者の初流血液を、採血針８から分岐管１３ａ、初流血液導入チューブＴ２を経て、サンプリングバッグＢのバッグ本体２１内に導入する。初流血液は、出入口２３から血液通路Ｗ１を通って、開放部Ｏ１を経て血液溜Ｓ１に貯留される。
血液通路Ｗ１は初流血液を確実に血液溜Ｓ１に導き、血液溜Ｓ１に血液が貯留されるに従って当初の血液溜Ｓ１内の空気は、血液の流体圧力に押されて、図４のように血液溜Ｓ１の上部へと追いやられる。
（２：初流血液採取終了時）
（１）により初流血液の採取が規定量に達した時点で、クランプ１１ａを閉じてサンプリングバッグＢへの血液の流れを遮断する。その後、連通ピース１２を破断して採血チューブＴ１の親バッグ４への流路を開放し、親バッグ４に血液を貯留する。
（３：サンプリング時）
一方、サンプリングバッグＢからサンプリング用の血液を採取する際は、図５に示すように、分岐管１３に接続したサンプリングホルダ２２内に真空採血管２７を挿入し、採血針２５に真空採血管２７の口部（栓体）を穿刺することにより、血液溜Ｓ１内の血液は血液通路Ｗ１を逆流し、採血針２５を経て、真空採血管２７に導くことができる。
その際、サンプリングホルダ２２（血液採取手段）２２は、初流血液導入チューブＴ２の途中に配置した分岐管１３に接続しているので、供血者の穿刺部位（上腕）とほぼ同じ位置に置くことができる。またサンプリングホルダ（血液採取手段）２２は、真空採血管２７を差込む口を上部に向けするとともに、サンプリングバッグＢも血液の出入口２３を上にした状態で作業できる。
このため、採血者は腰をかがめたりしゃがんだりすることなく、楽な姿勢で容易に真空採血管を操作してサンプリング用血液を採取することができる。
【００１４】
［サンプリングバッグＢのその他の実施例］
図２に例示したサンプリングバッグＢのその他の実施例について、以下に詳述する。
［サンプリングバッグＢａ］
図６に例示するサンプリングバッグＢａは、バッグ本体２１の上部に初流血液の出入口２３を形成し、バッグ本体２１内部に、第１仕切部Ｐ１と第２仕切部Ｐ２と第３仕切部Ｐ３を形成している。
この第１仕切部Ｐ１は、バッグ本体２１の略横方向または略斜め方向に形成し、第２仕切部Ｐ２は、バッグ本体２１の略縦方向に形成し、第３仕切部Ｐ３は、少なくとも略縦方向に形成している。さらに詳述すれば、仕切部Ｐ３は、バッグ上側周縁部Ｒに沿って、略横方向または略斜め方向から略縦方向に形成している。
また第１仕切部Ｐ１は、第２仕切部Ｐ２の下部から第３仕切部Ｐ３の略中間部から略下部のいずれかの間に亘って連続して形成し、バッグ本体２１内部を、血液溜Ｓ１と空気溜Ｓ２に区画し、第２仕切部Ｐ２とバッグ本体２１側部間に、上開放部Ｏ１、下開放部Ｏ２及び空気通路Ｗ２を形成し、第３仕切部Ｐ３とバッグ本体２１側部間に下開放部Ｏ２´及び血液通路Ｗ１を形成している。
空気通路Ｗ２は、上開放部Ｏ１と下開放部Ｏ２を経て、血液溜Ｓ１と空気溜Ｓ２と連通し、血液通路Ｗ１は、初流血液の出入口２３を経て初流血液導入チューブＴ２と連通するとともに、下部開放部Ｏ２´を経て、血液溜Ｓ１と連通している。
これらにより、採血した血液をバッグ本体２１内に導入した際、血液溜Ｓ１内の空気は、導入された血液の流体圧力に押されて、空気通路Ｗ２を通って空気溜Ｓ２へと追いやられる。
空気通路Ｗ２の幅は、血液通路Ｗ１と同様に、おおむね２〜１０ｍｍ程度に設定して形成するのが好ましい。この空気通路Ｗ２の幅が狭すぎると、血液が空気溜Ｓ２へと空気を追いやる際に、空気がスムーズに移動できない可能性があり、逆に空気通路Ｗ２があまりに広すぎると、血液が確実に空気溜Ｓ２に空気を追いやれないなどといったおそれがあるため、好ましくない。
さらに、第２開放部Ｏ２、第３開放部Ｏ２´（非溶着部分）についても、血液通路Ｗ１及び空気通路Ｗ２の幅の設定と同様の理由により、２〜１０ｍｍ程度に設定するのが好ましい。
【００１５】
［サンプリングバッグＢｂ］
図７に例示するサンプリングバッグＢｂは、バッグ本体２１の上部に初流血液の出入口２３を形成し、バッグ本体２１内部の略中央に、一対の仕切部Ｐ１を形成している。
一対の仕切部Ｐ１は、前記出入口２３から下方に延設し、当該一対の仕切部Ｐ１の下部に開放部Ｏ１を形成している。
一対の仕切部Ｐ１により、バッグ本体２１内部を血液通路Ｗ１と当該血液通路Ｗ１の両側の血液溜Ｓ１とに区画している。
前記血液通路Ｗ１は、前記初流血液の出入口２３を経て初流血液導入チューブＴ２と連通するとともに、開放部Ｏ１を経て前記両側の血液溜Ｓ１と連通している。
バッグ本体内２１に導入された血液は、両側の血液溜Ｓ１に適宜分かれて収納されると同時に、血液溜Ｓ１内の空気は、血液の流体圧力に押されて、血液溜Ｓ１の上部へと追いやられる。
【図面の簡単な説明】
【００１６】
【図１】本発明の採血器具１の概略図
【図２】本発明に使用するサンプリングバッグＢの概略図
【図３】図２の一部拡大図
【図４】図２のサンプリングバッグＢの採血時の概略図
【図５】図２のサンプリングバッグＢのサンプリング時の概略図
【図６】本発明に使用するその他のサンプリングバッグＢａの概略図
【図７】本発明に使用するその他のサンプリングバッグＢｂの概略図
【符号の説明】
【００１７】
１  採血器具
Ｂ、Ｂａ、Ｂｂ  サンプリングバッグ（採血初流除去バッグ）
３  血液フィルタ
４  親バッグ
５  第１子バッグ
６  第２子バッグ
７  赤血球保存液入バッグ
８  採血針
１０  針カバー
１１ａ、１１ｂ  クランプ
１２  流路閉塞手段（連通ピース）
１３、１３ａ、１３ｂ  分岐管
２２  血液採取手段（サンプリングホルダ）
２３  （初流血液の）出入口
２５  （初流血液の）採取針
２６  シース
２７  真空採血管
Ｓ１  血液溜
Ｓ２  空気溜
Ｐ１  仕切部（第１仕切部）
Ｐ２  第２仕切部
Ｐ３  第３仕切部
Ｗ１  血液通路
Ｗ２  空気通路
Ｔ１  採血チューブ
Ｔ２  初流血液導入チューブ
Ｔ３、Ｔ４、Ｔ５、Ｔ６  連結チューブ
Ｒ  バッグ周縁部
Ｏ１  開放部（第１開放部）（非溶着部分）
Ｏ２  第２開放部（非溶着部分）
Ｏ２´  第３開放部（非溶着部分）
Ａ  空気（エア）
ＢＬ  血液
【図１】
2009089919.tif 000003
【図２】
2009089919.tif 000004
【図３】
2009089919.tif 000005
【図４】
2009089919.tif 000006
【図５】
2009089919.tif 000007
【図６】
2009089919.tif 000008
【図７】
2009089919.tif 000009